(57)【特許請求の範囲】
【請求項１】
着用者の少なくとも股間部から肛門部にかけて装着される吸収性製品であって、
前記着用者の排泄物の通過を防止する防水シートと、
前記防水シートよりも前記着用者側に配置され、前記排泄物を吸収して保持する吸収体と、
最も前記着用者側に配置され、液透過性を有するシート体と、
を備え、
前記シート体は、前記排泄物の少なくとも軟便を前記吸収体側に通すための通過手段を有し、かつ、前記着用者の肌側に配置される肌側シート体と、前記吸収体の側に配置される外側シートと、前記肌側シートと前記外側シートとの間において伸長した状態で挟持され、装着した際、前記着用者の左右方向の中央部に、前記着用者の前後方向に沿って配置される弾性部材と、を有しており、
前記通過手段は、少なくとも前記弾性部材の周辺に配置された複数のスリット及び／又は長孔を有し、
前記スリット及び／又は長孔は、前記軟便の重みや排泄される圧力により幅が広がるようになっており、
前記弾性部材と前記弾性部材の周辺に配置された前記スリット及び／又は長孔との間の領域における前記シート体に前記シート体の表面を凹凸にするギャザーが形成されている
ことを特徴とする吸収性製品。
【請求項２】
前記通過手段は、前記着用者の肛門部に隣接して、前記肛門部の左右両側に配置された前記スリット及び／又は長孔を有し、
前記弾性部材は、前記左右両側に配置された前記スリット及び／又は長孔に挟まれて配置されると共に、前記左右両側に配置された前記スリット及び／又は長孔のさらに左右両側に隣接して配置されていない
ことを特徴とする請求項１に記載の吸収性製品。
【請求項３】
前記弾性部材は、前記肛門部に隣接するようにして、前記肛門部の左右両側に配置され、
前記通過手段は、前記左右両側の前記弾性部材に挟まれた前記スリット及び／又は長孔を有する
ことを特徴とする請求項１に記載の吸収性製品。
【請求項４】
前記着用者の左右方向において互いに隣接する前記複数のスリット及び／又は長孔は、位相がずれるように前記着用者の前後方向について互いに位置がずれた状態で配置されていることを特徴とする請求項１乃至３のいずれかに記載の吸収性製品。
【請求項５】
前記シート体は、前記着用者の少なくとも胴回りに近接した位置まで延伸しており、
前記通過手段は、股間部から肛門部にかけての領域よりも前記胴回り側において、前記胴回り方向に略沿って形成されたスリット及び／又は長孔を有する
ことを特徴とする請求項１乃至４のいずれかに記載の吸収性製品。
【請求項６】
着用者の少なくとも股間部から肛門部にかけて装着される吸収性製品であって、
前記着用者の排泄物の通過を防止する防水シートと、
前記防水シートよりも前記着用者側に配置され、前記排泄物を吸収して保持する吸収体と、
最も前記着用者側に配置され、液透過性を有するシート体と、
を備え、
前記シート体は、前記排泄物の少なくとも軟便を前記吸収体側に通すための通過手段を有し、かつ、前記着用者の肌側に配置される肌側シート体と、前記吸収体の側に配置される外側シートと、前記肌側シートと前記外側シートとの間において伸長した状態で挟持され、装着した際、前記着用者の左右方向の中央部に、前記着用者の前後方向に沿って配置される弾性部材と、前記着用者の左右方向に、山折りと谷折りを交互に繰り返して折り曲げられた折り曲げ部と、を有し、
前記通過手段は、少なくとも前記弾性部材の周辺に配置された複数のスリット及び／又は長孔を有し、
前記スリット及び／又は長孔は、前記軟便の重みや排泄される圧力により幅が広がるようになっており、
前記弾性部材と前記弾性部材の周辺に配置された前記スリット及び／又は長孔との間の領域における前記シート体に前記シート体の表面を凹凸にするギャザーが形成されている
ことを特徴とする吸収性製品。
【発明の詳細な説明】
【技術分野】
【０００１】
本発明は糞尿を保持可能な吸収性製品に関する。
【背景技術】
【０００２】
従来の失禁用や乳幼児用の吸収性製品には、パンツと同様な形状をしたパンツ式やテープでパンツの形状に組み立てて使用するテープ式等の使い捨ておむつ、或いは、パンツの中に配置して使用される尿取りパッド等がある。
特許文献１は、この吸収性製品の一例であり、その図５に示されるように、使用者の股側に液透過性のある不織布などを配置してなるトップシート１３と、外側に排泄物の透過を防止するバックシート１２と、トップシート１３とバックシート１２とで挟まれ、トップシート１３から透過してきた排泄物を吸収する吸収性ポリマー等からなる吸収体１４とを有している。
【０００３】
この特許文献１のおむつでは、排泄物が軟便等である場合、それを吸収体１４が素早く対応して吸収できなくても、軟便等が着用者の肌に付着することを防止して、スキントラブルが起きないようにしている。具体的には、装着した際、弾性部材２０，２１の力で垂れ下がらないようにしたスキンコンタクトシート２３を有し、このスキンコンタクトシート２３とトップシート１３との間に空隙２４が形成されている。そして、スキンコンタクトシート２３には、所定の大きさを有する開口部２９が肛門部に対応して形成されており、軟便等はこの開口部２９を通過して、空隙２４に落ちるようになっている。
【先行技術文献】
【特許文献】
【０００４】
【特許文献１】特開２００２−２０４８１１号公報
【発明の概要】
【発明が解決しようとする課題】
【０００５】
ところで、特許文献１のおむつでは、スキンコンタクシート２３を弾性部材２０，２１で引っ張って、装着した際に垂れ下がらない工夫はされているが、図２に示さるように、スキンコンタクシート２３は、垂れ下がらないだけで、着用者の股間部の逆Ｕ字状のような形状に合っているわけではない。このため、スキンコンタクトシート２３と股間部との間には、どうしても隙間が生じ、その隙間に排泄物が入って、結局、着用者の肌を汚してしまう結果になる。
また、特許文献１のおむつでは、空隙２４に入った軟便等が着用者の肌側に戻って、着用者の肌を汚すことを防止するため、開口部２９を小さ目には形成している。しかし、肛門部と開口部２９とを位置合わせして、軟便を空隙２４に確実に落す必要があることから、開口部２９の大きさを抑制することには限界がある。このため、開口部２９は所要の大きさとせざるを得ず、空隙２４に一旦入った軟便が着用者の肌側に戻って肌を汚す事態は有効に防止されているとは言えない。
そこで、本発明は、排泄物が身体に触れることを可及的に回避して、排泄後の気持ち悪さやスキントラブルを回避できる吸収性製品を提供することを目的とする。
【課題を解決するための手段】
【０００６】
上記課題は、着用者の少なくとも股間部から肛門部にかけて装着される吸収性製品であって、前記着用者の排泄物の通過を防止する防水シートと、前記防水シートよりも前記着用者側に配置され、前記排泄物を吸収して保持する吸収体と、最も前記着用者側に配置され、液透過性を有するシート体と、を備え、前記シート体は、前記排泄物の少なくとも軟便を前記吸収体側に通すための通過手段を有し、かつ、前記着用者の肌側に配置される肌側シート体と、前記吸収体の側に配置される外側シートと、前記肌側シートと前記外側シートとの間において伸長した状態で挟持され、装着した際、前記着用者の左右方向の中央部に、前記着用者の前後方向に沿って配置される弾性部材と、を有しており、前記通過手段は、少なくとも前記弾性部材の周辺に配置された複数のスリット及び／又は長孔を有し、前記スリット及び／又は長孔は、前記軟便の重みや排泄される圧力により幅が広がるようになっており、前記弾性部材と前記弾性部材の周辺に配置された前記スリット及び／又は長孔との間の領域における前記シート体に前記シート体の表面を凹凸にするギャザーが形成されている吸収性製品により解決される。
【０００７】
本発明によれば、着用者の少なくとも股間部から肛門部にかけて装着される吸収性製品は、着用者の排泄物の通過を防止する防水シートと、防水シートよりも着用者側に配置され、排泄物を吸収して保持する吸収体と、シート体と、を有している。従って、排泄物を吸収体まで移動することが出来れば、排泄物は吸収体で保持されると共に、防水シートにより衣類等への付着を防止できる。
この点、最も着用者側にあるシート体は、排泄物の少なくとも軟便を吸収体側に通すための通過手段を有するため、この通過手段から少なくとも軟便を吸収体側に移すことができる。
ここで、このシート体は、着用者の肌側に配置される肌側シート体と、吸収体の側に配置される外側シートと、肌側シートと外側シートとの間において伸長した状態で挟持され、装着した際、着用者の左右方向の中央部に、着用者の前後方向に沿って配置される弾性部材と、を有している。従って、シート体は、弾性部材の作用により垂れ下がりが防止され、シート体と吸収体との間には積極的に空間が形成されることになり、この空間に軟便等を収容してから、これを吸収体で吸収していくことができ、その間、軟便等と肌とをシート体で仕切って、着用者の肌を汚してしまう事態を抑制できる。さらに、シート体は、装着した際、左右方向の中央部が上側に凸となるため、股間部の逆Ｕ字状のような形状に沿って装着し易くなり、着用者の肌により密着させることができる。従って、シート体と股間部との間に軟便等が入って肌を汚してしまう事態も有効に防止できる。
しかも、少なくとも軟便を吸収体側に通すための通過手段は、少なくとも弾性部材の周辺に配置された複数のスリット及び／又は長孔であり、軟便の重みや排泄される圧力により幅が広がるようになっている。このため、軟便が付着するとスリットや長孔の幅が広がって、軟便を吸収体側に容易に移すことができる。そして、このように軟便が移動すると、スリットや長孔の周辺は軽くなって、その周辺にある弾性部材の力で、元の位置に戻ろうとして、広がったスリットや長孔は細くなる。従って、一旦、吸収体側に移動した排泄物が着用者の肌に触れる事態も有効に防止できる。
さらに、弾性部材と、弾性部材の周辺に配置されたスリット及び／又は長孔と、の間の領域におけるシート体には、シート体の表面を凹凸にするギャザーが形成されている。これにより、弾性部材の近傍が濡れていても、装着感を向上させることができる。シート体自体も肌に触れる面積が小さくなって、シート体が濡れていても、気持ち悪さ等を回避することができる。
【０００８】
なお、上記「着用者の前後方向」は着用者の下腹部と股間部と臀部とを結ぶ方向を意味する。
また、上記「長孔」はその幅が狭い長い孔であって、その幅が排泄物の重みや圧力で大きくなる一方で、その重みや圧力がなくなった際に、吸収体側の軟便が肌側に比較的に戻り難くなる幅に変化する孔を意味する趣旨であり、直線状の孔だけではなく、例えば、曲がっている孔や波形の孔や、幅の狭い長円状・楕円形状・三角形状の孔、等も含まれる。
また、上記「弾性部材」は着用者の左右方向の中央部に配置されているが、必ずしも肛門部の直下に配置される必要はなく、肛門部に隣接して配置されるものも含まれる。
【０００９】
また、好ましくは、前記通過手段は、前記着用者の肛門部に隣接して、前記肛門部の左右両側に配置された前記スリット及び／又は長孔を有し、前記弾性部材は、前記左右両側に配置された前記スリット及び／又は長孔に挟まれて配置されると共に、前記左右両側に配置された前記スリット及び／又は長孔のさらに左右両側に隣接して配置されていないことを特徴とする。
そうすると、着用者が軟便を排泄すると、その際の圧力や重みで弾性部材は押されて、軟便は弾性部材の左右両側に広がろうとする。この点、通過手段は、肛門部に隣接して、肛門部の左右両側に配置されたスリット及び／又は長孔を有しているため、上記左右両側に広がろうとした軟便は、肛門部に隣接したスリット及び／又は長孔を通って、比較的に直ぐに吸収体側に移動することになる。この際、弾性部材は肛門部に隣接したスリット及び／又は長孔のさらに左右両側に隣接して配置されていないため、肛門部に隣接したスリット及び／又は長孔が軟便の重み等で広がろうとする作用を弾性部材が邪魔することも可及的に防止できる。
そして、弾性部材は、肛門部に隣接して左右両側に配置されたスリット及び／又は長孔に挟まれているため、肛門部の略直下に配置されることになる。従って、シート体は臀部の割れ目等にフィットして、シート体と吸収体との間に排泄物を入れるための大きな空間を形成して、当該空間に入った排泄物が、再び肌側に漏れ出す事態を有効に回避できる。
【００１０】
また、好ましくは、前記弾性部材は、前記肛門部に隣接するようにして、前記肛門部の左右両側に配置され、前記通過手段は、前記左右両側の前記弾性部材に挟まれた前記スリット及び／又は長孔を有することを特徴とする。
そうすると、排泄された軟便は、肛門部に隣接して左右両側に配置された弾性部材に挟まれたスリット及び／又は長孔を通って、即座に吸収体側に移動することになる。従って、軟便がシート体表面の幅の狭い左右に伝わることを抑制して、排泄物が身体に触れる事態を有効に回避できる。そして、弾性部材は肛門に密着しないため、好ましい着用感も得られる。さらに、スリット及び／又は長孔は弾性部材に挟まれているので、排泄前の状態に戻ろうとする力も強くすることができる。
【００１１】
また、好ましくは、前記着用者の左右方向において互いに隣接する前記複数のスリット及び／又は長孔は、位相がずれるように前記着用者の前後方向について互いに位置がずれた状態で配置されていることを特徴とする。
これにより、着用者の左右方向に排泄物が流れた際、相対的に、中央側の列の断続的に並ぶ複数のスリット及び／又は長孔の間に軟便が伝わっても、その外側の列の断続的に並ぶ複数のスリット及び／又は長孔が軟便を捉えることができる。
【００１２】
また、好ましくは、前記シート体は、前記着用者の少なくとも胴回りに近接した位置まで延伸しており、前記通過手段は、股間部から肛門部にかけての領域よりも前記胴回り側において、前記胴回り方向に略沿って形成されたスリット及び／又は長孔を有することを特徴とする。
従って、軟便が胴回り側に流れてきた場合（例えば、床ずれ防止のために臀部を浮かせて寝た状態で臀部側に軟便が流れてきた場合）であっても、胴回り方向に略沿って形成された前記スリットや長孔がその軟便をキャッチして吸収体側に移動させ、軟便が漏れる事態を防止できる。
【００１３】
また、上記課題は、着用者の少なくとも股間部から肛門部にかけて装着される吸収性製品であって、前記着用者の排泄物の通過を防止する防水シートと、前記防水シートよりも前記着用者側に配置され、前記排泄物を吸収して保持する吸収体と、最も前記着用者側に配置され、液透過性を有するシート体と、を備え、前記シート体は、前記排泄物の少なくとも軟便を前記吸収体側に通すための通過手段を有し、かつ、前記着用者の肌側に配置される肌側シート体と、前記吸収体の側に配置される外側シートと、前記肌側シートと前記外側シートとの間において伸長した状態で挟持され、装着した際、前記着用者の左右方向の中央部に、前記着用者の前後方向に沿って配置される弾性部材と、前記着用者の左右方向に、山折りと谷折りを交互に繰り返して折り曲げられた折り曲げ部と、を有し、前記通過手段は、少なくとも前記弾性部材の周辺に配置された複数のスリット及び／又は長孔を有し、前記スリット及び／又は長孔は、前記軟便の重みや排泄される圧力により幅が広がるようになっており、前記弾性部材と前記弾性部材の周辺に配置された前記スリット及び／又は長孔との間の領域における前記シート体に前記シート体の表面を凹凸にするギャザーが形成されている吸収性製品により解決される。
【００１４】
この発明の構成によれば、上述した発明と同様に、シート体は排泄物の少なくとも軟便を吸収体側に通すための通過手段を有するため、通過手段から少なくとも軟便を吸収体側に移すことができる。
また、上述した発明と同様に、シート体は、着用者の肌側に配置される肌側シート体と、吸収体の側に配置される外側シートと、肌側シートと前記外側シートとの間において伸長した状態で挟持され、着用者の前後方向に沿って配置される弾性部材と、を有しているので、弾性部材の作用により垂れ下がりが防止され、シート体と吸収体との間に積極的に空間を形成し、この空間に軟便等を収容できる。
しかも、上述した発明と同様に、通過手段は、少なくとも弾性部材の周辺に配置された複数のスリット及び／又は長孔を有し、軟便の重みや排泄される圧力により幅が広がるようになっている。このため、軟便が付着するとスリットや長孔の幅が広がって、軟便を吸収体側に容易に移すことができる。そして、このように軟便が移動すると、スリットや長孔の周辺は軽くなって、その周辺にある弾性部材の力で、元の位置に戻ろうとして、広がったスリットや長孔は細くなる。従って、一旦、吸収体側に移動した排泄物が着用者の肌に触れる事態も有効に防止でき、排泄後の気持ち悪さやスキントラブルを回避できる。
さらに、このシート体は、着用者の左右方向に、山折りと谷折りを交互に繰り返して折り曲げられた折り曲げ部を有している。そうすると、平坦なシート体に比べて着用者の左右方向の寸法を大きくすることができ、股間部の狭い左右方向（幅方向）であっても、排泄物が直ぐに幅方向の両端に届いてしまう事態を抑制できる。特に、シート体を交互に折り曲げることで角度が付いて、着用者が横向きに寝た場合であっても、排泄物が着用者の左右方向（横向きに寝た状態の上下方向）に伝わる速度を落すことができる。
さらに、弾性部材と弾性部材の周辺に配置されたスリット及び／又は長孔と、の間の領域におけるシート体には、シート体の表面を凹凸にするギャザーが形成されている。これにより、弾性部材の近傍が濡れていても、装着感を向上させることができる。シート体自体も肌に触れる面積が小さくなって、シート体が濡れていても、気持ち悪さ等を回避することができる。
【発明の効果】
【００１５】
以上、本発明は、排泄物が身体に触れることを可及的に回避して、排泄後の気持ち悪さやスキントラブルを回避できる吸収性製品を提供することができる。
【図面の簡単な説明】
【００１６】
【図１】本発明の第１実施形態に係る吸収性製品の概略斜視図。
【図２】本発明の第１実施形態に係る吸収性製品の平面図。
【図３】本発明の第１実施形態に係る吸収性製品を装着した図であり、図３（Ａ）は着用者の背面側から視認した図、図３（Ｂ）は図３（Ａ）の概略Ｂ−Ｂ断面図。
【図４】図１の吸収性製品を装着して、図１のＡ−Ａ位置で切断した場合の概略断面図。
【図５】図１の吸収性製品の使用状態を図４の断面位置で説明する図であり、図５（Ａ）は軟便を排泄している最中の状態、図５（Ｂ）は軟便が吸収体側に移動し終えた図。
【図６】図１の吸収性製品の使用状態を図４の断面位置で説明する図であり、軟便の排泄量が図５に比べて多い場合の説明図。
【図７】本発明の第１実施形態に係る吸収性製品の変形例であり、図４に対応した概略断面図。
【図８】本発明の第２実施形態に係る吸収性製品の概略斜視図。
【図９】図８の吸収性製品を装着して、図８のＣ−Ｃ位置で切断した場合の概略断面図。
【図１０】図８の吸収性製品の使用状態を図９の断面位置で説明する図であり、図１０（Ａ）は少量の軟便を排泄した場合の説明図、図１０（Ｂ）は多量の軟便を排泄した場合の説明図。
【図１１】本発明の第３実施形態に係る吸収性製品の概略斜視図。
【図１２】図１１の吸収性製品を装着して、図１１のＤ−Ｄ位置で切断した場合の概略断面図。
【図１３】本発明の第３実施形態の変形例に係る吸収性製品を伸ばし広げて平面から視認した部分平面図。
【図１４】本発明の第４実施形態に係る吸収性製品であり、着用者の外尿道口付近で左右方向に切断した場合の概略縦断面図。
【図１５】本発明の第４実施形態の変形例に係る吸収性製品であり、図３のＢ−Ｂ位置と同等の位置で切断した場合の部分概略断面図。
【図１６】本発明の第５実施形態に係る吸収性製品の概略斜視図。
【図１７】図１６の吸収性製品を装着して、図１６のＥ−Ｅ位置で切断した場合の概略断面図。
【図１８】図１６の吸収性製品を装着して、横向きに寝た状態で軟便を排泄した場合の図１７に対応した概略断面図。
【図１９】本発明の第６実施形態に係る吸収性製品の概略斜視図。
【図２０】図１９のミシン目部分の拡大図。
【図２１】図１９の吸収性製品を装着して、図１９のＦ−Ｆ位置で切断した場合の概略断面図。
【発明を実施するための形態】
【００１７】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下の図において、同一の符号を付した箇所は同様の構成である。
また、以下の説明において、特段の説明がない限り、「前後方向」は吸収性製品を装着した際の着用者の下腹部と股間部と臀部とを結ぶ方向を、「左右方向」は吸収性製品を装着した際の着用者の左右方向（右脚と左脚とを結ぶ方向）を意味する。
【００１８】
〔第１実施形態〕
先ず、本発明の第１実施形態に係る吸収性製品１０を図１〜図４を用いて説明する。なお、図１は後述する弾性部材２８により湾曲した状態であり、図２はこの図１の吸収性製品１０を伸ばし広げてから平面視した図である。また、図３（Ｂ）ではパンツを省略して図示している。また、図４の一点鎖線で囲った図は弾性部材２８周辺の拡大図である。
図１〜図４の吸収性製品１０は、本発明の好適な例として、パンツの中に敷いて用いられる失禁用の尿取りパッド（「失禁用パッド」とも言う）の例を示しているが、本発明の吸収性製品は、失禁用に限られるものではなく、乳幼児用おしめとしても用いることができる。また、パンツの中に敷く形式ではなく、おしめ自体がパンツ形状をしたパンツ式、またはテープでパンツの形状に組み立てて使用するテープ式等の使い捨ておむつにも用いることができる。
【００１９】
図１及び図２に示すように、吸収性製品１０は広げた際、全体的に扁平で瓢箪のような形状をしており、一方向（図のＹ方向）に長い。この長手方向Ｙは、着用者の前後方向に沿っており、着用者の下腹部側から股間部を通って臀部側に装着され、図３に示すように長手方向Ｙの両端部１０ａ，１０ｂが、パンツ２の中で着用者ＵＳの胴回り又は胴回りに近接した位置まで配置されて、接着剤等でパンツ２に固定される。なお、吸収性製品１０は、全体略瓢箪型で着用者にフィットするものであり、接着剤等の固定手段がなくても所定の位置に配置される。吸収性製品１０は、全体形状に応じてパンツ２への固定手段を適宜設けるようにすればよい。
また、この長手方向Ｙに直交する幅方向（短手方向）Ｘは着用者の左右方向に沿って装着される。
図２に示すように、この幅方向Ｘの寸法が長手方向Ｙの中央部付近において短くなることで、吸収性製品１０には縮幅部１２が形成されている。縮幅部１２は股間部に装着される部分である。
この縮幅部１２は長手方向Ｙの中央ではなく、やや位置がずれており、縮幅部１２から臀部側の端部１０ｂまでの距離Ｌ１は、縮幅部１２から下腹部側の端部１０ａまでの距離Ｌ２に比べて長い。縮幅部１２から臀部側の端部１０ｂまでの形状、及び、縮幅部１２から下腹部側の端部１０ａまでの形状は、それぞれ概ね円形状である。なお、幅方向Ｘについて、吸収性製品１０は左右対称である。
【００２０】
図１及び図２に示す吸収性製品１０は、長手方向Ｙに沿って、肌側に起立する一対のサイドギャザー１４，１４を有している。サイドギャザー１４は、幅方向Ｘから排泄物が漏れる所謂横漏れを防止するための起立部である。具体的には、図１及び図４に示すように、吸収性製品１０の幅方向Ｘの両端部に接続された防水性のあるサイドシート１５の自由端部１５ａに、長手方向Ｙに沿って合成ゴム等の弾性材１６が伸長した状態で接続したものである。この一対のサイドギャザー１４，１４間の寸法が股間部の左右方向の寸法に対応しており、吸収性製品１０を装着すると、弾性材１６の力でサイドシート１５が起立した状態になり、自由端部１５ａが股間部と内腿の付け根付近との間位に当たって、所謂横漏れを防止できる。
【００２１】
このような吸収性製品１０は、図４に示すように、複数層からなっており、外側（パンツ側）に露出する防水シート１８と、この防水シート１８よりも着用者ＵＳ側（肌側）の吸収体１９と、最も着用者ＵＳ側に配置されたシート体２０とを有している。
防水シート１８は、着用者ＵＳの排泄物の通過を防止して、服の汚れ等を防止するための部材であり、バックシートとも呼ばれる。防水シート１８は周知の材料を利用でき、可撓性を備えた材質、例えば薄いプラスチックフィルムにより作られている。具体的に、防水シート１８は、ポリエチレンフィルムやポリエチレンラミネート紙等が使用でき、好ましくは、微多孔性防水樹脂フィルム等の不透水性ではあるが透湿性を有する素材を用いるとよい。
【００２２】
吸収体１９は、排泄物を吸収して保持する部材であり、防水シート１８にホットメルト等で貼着して重合されている。この吸収体１９は、吸収した液体の保持性が高く、比較的厚みが薄く嵩張らない形態とされるのが好ましい。このような吸収体１９としては、例えばパルプに吸収材であるポリマーを混合したり、パルプにポリマーを散布したりして形成するパルプ吸収体、さらにパルプ等によるシート材間にポリマーを高密度に配置してシート状としたポリマーシート等が使用できる。
この吸収体１９はティッシュ１７に包まれて、外部に晒されることが防がれている。ティッシュ１７には、液体等を吸収する柔らかい材質、たとえばパルプ、レーヨン、コットン、ケナフ、バガス、シルク、親水処理をした繊維（ポリオレフィン系、ポリエステル、アクリル）などを単一又は複合してシート化したものを用いることができる。シート化した場合、その表面にエンボス加工を施し、表面に液体を拡散させて、吸収体１９の広範囲な領域で液体を吸収させるとよい。
【００２３】
シート体２０はシート状であって、着用者ＵＳの肌と吸収体１９との間に所要の空間Ｓを形成して、当該空間Ｓと着用者ＵＳの肌とを空間的に区分けする役割を有する。
本実施形態のシート体２０は不織布から形成されている。不織布には公知なものが利用でき、例えば、合成樹脂を繊維化した熱融着性繊維（例えば、ＰＥＴ／ＰＥ，ＰＰ／ＰＥ，ＰＥＴ／ＥＰ，ＰＰ／ＥＰ）をサーマルボンド法やスパンボンド法等でバインダーを使わずに融着して形成される。このような不織布は、起毛立ちし難くい材料であることから使用者の肌に触れる材料として好適に使用できると共に、吸収体１９側に排泄物を透過させることができる。この不織布は、液透過性を有すると共に液浸透性も有する。
【００２４】
このようなシート体２０は、図３（Ｂ）や図４に示すように、その周縁部が吸収体１９に接続されているが、周縁部を除く領域は吸収体１９と接続されていない。そして、シート体２０は、少なくとも股間部から肛門部にかけての領域（少なくとも、図３（Ｂ）に示す女性の外尿道口部ＨＲに対応した位置から肛門部ＡＮにかけて、及びその周辺を含む領域）において、吸収体１９から離間するように弾性力を発揮する弾性部材２８を有している。これにより、図３及び図４に示すように、シート体２０と吸収体１９との間に所要の空間Ｓを積極的に形成することができる。
そして、図１及び図４に示すように、シート体２０には、少なくとも軟便を吸収体１９側、即ち空間Ｓに通すための通過手段２５を有している。従って、着用者が排泄した軟便は、シート体２０に形成された通過手段２５を通って空間Ｓに移動し、この空間Ｓに軟便を収容してから、これを吸収体１９で吸収していくことができ、その間、軟便と肌とをシート体２０で仕切って、吸収体１９で素早く吸収できない軟便であっても、着用者の肌を汚してしまう事態を抑制できる。なお、本実施形態の通過手段２５は、後述するように、軟便だけではなく尿も空間Ｓ側に移動でき、また、大便が大きく硬くない限り、空間Ｓ側に移動できるようにしている。
【００２５】
本実施形態の吸収性製品１０は以上の特徴を有し、さらに、弾性部材２８、及び通過手段２５等に以下の特徴を有している。
先ず、弾性部材２８について説明する。
本実施形態の弾性部材２８は、図１〜図４に示すように、伸長した状態でシート体２０に接続され、装着した際、着用者の左右方向の中央部に、着用者の前後方向に沿って配置される。
即ち、吸収性製品１０を伸ばして広げた図２の状態で、弾性部材２８を、幅方向Ｘの中央部に、長手方向Ｙに沿って伸長させてシート体２０に接続し、この図２の状態において、長手方向Ｙに弾性力を発揮させている。このため、図３（Ｂ）のように、吸収性製品１０を下腹部と股間部と臀部を結ぶカーブに沿った形状にした場合には、弾性部材２８は縮まって、この弾性部材２８が接続されたシート体２０は、図４に示すように左右方向の中央部が上側に凸となった状態が、図３（Ｂ）に示すように前後方向に続くため、着用者の股間部の形状に沿って装着し易くなり、着用者の肌により密着させることができる。
【００２６】
具体的には、シート体２０は、図３及び図４に示すように、肌側の不織布からなる肌側シート体２６と、吸収体１９側の不織布からなる外側シート体２７とを有し、この肌側シート体２６と外側シート体２７とで合成ゴム等の弾性部材２８は挟持され、これら肌側シート体２６、弾性部材２８、外側シート体２７は夫々貼着することで互いに固定されている。
弾性部材２８には、公知の合成ゴム等の弾性材を利用できるが、薄いシート体２０が肌に触れた際、弾性部材２８が異物として感じられないように薄い帯状の合成ゴム（例えば、熱可塑性ポリウレタンをテ?プ状にしたポリウレタンエラストマー・テープ）を利用するのが好ましい。
本実施形態では、図１及び図４の弾性部材２８が縮まった状態では、シート体２０の弾性部材２８の近傍（図４の弾性部材２８の左右両側の部分）にギャザー２９が形成されて、シート体２０の表面は凸凹になっている。これにより、弾性部材２８の近傍が濡れていても、装着感を向上できる。
また、本実施形態の弾性部材２８は、可及的に大きな空間Ｓが形成できるように、図３に示すように、装着した際、下腹部から股間部及び肛門部を通って臀部の下側まで配置される。
なお、外側シート体２７は肌側シート体２６に比べて繊維密度が高いのが好ましく、これにより、毛細管現象により外側シート体２７に液体を積極的に導くと共に、液体の肌側シート体２６への移行を抑制できる。
【００２７】
次に、通過手段２５について、上述した図１、図２、図４、及び使用状態を示す図５を用いて説明する。
通過手段２５は弾性部材２８の周辺に配置された複数のスリット及び／又は長孔を有しており、本実施形態の通過手段２５は図２に示すようにスリット３からなっている。なお、この「弾性部材２８の周辺」とは、弾性部材２８の作用を受ける領域を意味する。
具体的には、吸収性製品１０を伸ばし広げた図２の状態では、スリット３は完全に閉じている。このスリット３は、製造過程において、弾性部材２８の弾性力に抗しながら伸ばし広げたシート体２０の上から、カッターを刺し入れて形成されている。これに対して、図１の湾曲状態では、弾性部材２８の弾性力でシート体２０の弾性部材２８の周辺は長手方向Ｙが縮まるため、スリット３の幅は少し広がった状態となる。すなわち、スリット３が開口した状態となる。
【００２８】
このような複数のスリット３は、図２に示すように、長手方向に沿って断続的に配置されて列をなしており、この列が幅方向Ｘに並んで複数の列Ｇ１〜Ｇ６とされている。なお、本発明において、この列の数は図２の数に限られるものではないが、好ましくは、幅方向Ｘの弾性部材２８を中心に左右が同様の複数列とされるのがよく、図の場合、右側の３列Ｇ１〜Ｇ３と左側の３列Ｇ４〜Ｇ６は同様の構成である。
また、最も幅方向Ｘの中心部に近い列Ｇ３，Ｇ４は、装着した際、着用者の肛門部に隣接して、肛門部の左右両側に配置されるようになっており、この列Ｇ３，Ｇ４の双方から若干の間隔Ｗ１を空けて、列Ｇ３と列Ｇ４の間に弾性部材２８が挟まれて配置されている（この間隔Ｗ１の領域におけるシート体２０に図４のギャザー２９が形成される）。従って、弾性部材２８は、図４に示すように、肛門部の略直下に配置され、シート体２０は臀部の割れ目等にフィットして、シート体２０と吸収体１９との間に排泄物を入れるための大きな空間Ｓを形成できる。
なお、この最も中央部側に配置された列Ｇ３，Ｇ４のさらに左右両側には隣接して弾性部材は配置されないのが好ましい。
【００２９】
この点、図２に示すように、互いに隣接する列Ｇ１〜Ｇ６どうしの関係では、位相がずれるようにして、長手方向Ｙについて互いに位置をずらしたスリット３の配置とされている。これにより、幅方向Ｘに排泄物が流れた際、相対的に、中央側の列（例えばＧ３，Ｇ４）の断続的に並ぶ複数のスリット３の間に軟便が伝わっても、その外側の列（例えばＧ２，Ｇ５）の断続的に並ぶ複数のスリット３が軟便を捉えられるようにしている
さらに、この位置のずれ方についても基準を有しており、着用者の臀部と内腿の境目、及び／又は、鼠蹊部と内腿の境目（例えば図３の臀部ＨＰと内腿ＴＨの境目）において、スリット３は当該境目に沿って複数の列Ｇ１〜Ｇ６となるように配置されており、この境目のスリット３の並びを基準にして、各列Ｇ１〜Ｇ６のスリット３の長手方向Ｙの位置が決められている。即ち、図２を例に説明すると、幅方向Ｘに並んだ各列の複数のスリット３ａ，３ｂ，３ｃの並び（並ぶ方向Ｒ１）が、図３の臀部ＨＰと内腿ＴＨの境目の方向Ｒ２に対応しており、この図２のスリット３ａ，３ｂ，３ｃの並びを基準にして、各列Ｇ１〜Ｇ６のスリット３が規則正しく長手方向Ｙに沿って配置されている。これにより、例えば図３の臀部ＨＰと内腿ＴＨの境目に沿って（矢印Ｒ２の方向に沿って）軟便や尿が流れても、当該境目のスリット（図２のスリット３ａ，３ｂ，３ｃ）がその軟便や尿を確実に捉えることができる。
【００３０】
なお、スリット３の長さＬ３は、軟便が通過し易く、かつ、通過した軟便が肌側に戻り難い長さであるのが好ましく、一般的な大人用の失禁パッドである図２の場合は約４ｃｍとされているが、本発明のスリット３の長さＬ３はこれに限られるものではない。
また、図２において、長手方向Ｙについて互いに隣接するスリット３どうしの間隔Ｌ４は、スリット３の長さＬ３の約１／８の約０．５ｃｍである。
また、図２の互いに隣接する列Ｇ１と列Ｇ２，及び列Ｇ２と列Ｇ３，列Ｇ４と列Ｇ５，及び列Ｇ５と列Ｇ６の夫々の間隔Ｗは約１ｃｍである。
【００３１】
以上のような複数のスリット３からなる通過手段２５は、装着されることにより多少その幅が広がるが、さらに軟便の重みや排泄される圧力により、その幅が広がるようになっている。
図５（Ａ）はこのスリット３の幅が広がった状態を示しており、この図に示すように、着用者が軟便ＣＡを排泄すると、その際の圧力や重みで、肛門部直下の弾性部材２８は押されて、軟便ＣＡは弾性部材２８の左右両側に広がろうとする。そして、軟便ＣＡの重みや排泄時の圧力により、スリット３（特に肛門部に隣接した列Ｇ３，Ｇ４のスリット３）の左右のシート体の部分２０ａが押されることで、図１のスリット３の幅Ｗ２が図５（Ａ）のように広がって大きな幅Ｗ３となり、ここから軟便ＣＡは比較的に直ぐに吸収体１９側（即ち空間Ｓ）に移動することになる。
この際、弾性部材２８は肛門部に隣接した列Ｇ３，Ｇ４のスリット３のさらに左右両側に隣接して配置されていないため、列Ｇ３，Ｇ４のスリット３が軟便ＣＡの重み等で広がろうとする作用を弾性部材が邪魔することも可及的に防止できる。
【００３２】
なお、本実施形態のスリット３は、肛門部ＡＮ及び女性の外尿道口部ＨＲ（図３参照）、並びにこれらの周辺に対応した領域に配置され、さらに、軟便だけではなく、所定の量や圧力を有する尿が排泄された際も、その重みや圧力で幅が広がって、空間Ｓに移動可能とされている。また、スリット３は長さＬ３（図２参照）が約４ｃｍあるため、小さ目の固い大便も空間Ｓに移動可能とされている。
また、図１に示すように、スリット３は弾性部材２８の弾性力で、装着時、予め少し広がった幅Ｗ２を有するため、軟便がシート体２０の表面を素早く広がろうとしても、スリット３を素通りしてしまう事態を出来るだけ回避できる。
さらに、本実施形態では複数のスリット３からなる複数の列Ｇ１〜Ｇ６を有するため、多量あるいは勢いのよい軟便ＣＡが排泄され、中央部側のスリット３の列Ｇ３，Ｇ４で軟便ＣＡを捉えきれなかった場合であっても、図６に示すように、より外側の列Ｇ２，Ｇ５等のスリット３で軟便ＣＡを空間Ｓに移動させることができる。
【００３３】
そして、排泄し終えた後、図５（Ｂ）に示すように、空間Ｓに収容された軟便ＣＡは吸収体１９に吸収される（勿論、吸収されない軟便もある）。この際、シート体２０は、弾性部材２８の力で排泄前の状態に戻ろうとして、スリット３も元に戻ろうとした幅Ｗ４となる。なお、排泄後のシート体２０には排泄物が付着している可能性があるため、排泄後のスリット３の幅Ｗ４は図１の幅Ｗ２のように完全に元通りにはならないかも知れないが、所定の復元はされる。従って、空間Ｓに収容された排泄物が肌に触れることを有効に防止できる。また、上述したように、シート体２０の弾性部材２８の近傍のギャザー２９により、シート体２０自体も肌に触れる面積が小さくなって、シート体２０が濡れていても、気持ち悪さ等を回避できる。
【００３４】
なお、本実施形態の通過手段２５はスリット３からなっているが、本発明の通過手段２５はこのような態様に限られるものではなく、長円状、細い長方形状、等の長孔でもよい。
また、本実施形態では、吸収体１９（ティッシュ１７を含む）とシート体２０との間には空間Ｓが存在するのみであるが、本実施形態の変形例である図７に示すように、吸収体１９の空間Ｓ側に公知なトップシートとも呼ばれる表面材３０を配設してもよい。
【００３５】
〔第２実施形態〕
次に、本発明の第２実施形態について説明する。図８〜図１０は第２実施形態に係る吸収性製品３２であり、図８は概略斜視図、図９は吸収性製品３２を装着して、図８のＣ−Ｃ位置で切断した場合の概略断面図、図１０は図８の吸収性製品の使用状態を図９の断面位置で説明する図である。なお、これらの図では図１及び図４で図示したギャザー２９は省略している。
これらの図の吸収性製品３２が図１〜図７の吸収性製品１０と主に異なるのは、弾性部材３３と通過手段３５の配置である。
【００３６】
すなわち、弾性部材３３は、それ自体の構成は上述した弾性部材２８と同様であるが、その配置と数が異なっており、図８及び図９に示すように、弾性部材３３，３３は、肛門部に隣接するようにして、肛門部の左右両側に長手方向Ｙに沿って配置されている。
そして、通過手段３５は、この肛門部に隣接した弾性部材３３，３３に挟まれた複数のスリット３からなる列Ｇ９を有している。スリット３自体の構成は既に述べたものと同様であるが、長手方向Ｙに沿った複数のスリット３からなる列は、図８に示すように５列Ｇ７〜Ｇ１１であり、図１に示す６列Ｇ１〜Ｇ６よりも一つ少なく、幅方向Ｘの中心部の列Ｇ９を中心に左右対称とされている。
【００３７】
本発明の第２実施形態の吸収性製品３２は以上のように構成され、このように、弾性部材３３，３３が必ずしも肛門部の直下に配置されていなくても、肛門部に隣接して配置されていれば、概ね図１〜図７で説明した作用効果を発揮できる。
また、吸収性製品３２の使用状態を示す図１０（Ａ）に示すように、排泄された軟便ＣＡは、肛門部に隣接して左右両側に配置された弾性部材３３，３３に挟まれたスリット３を通って、即座に吸収体１９側に移動して、軟便ＣＡがシート体２０の表面の幅の狭い左右方向に広がることを抑制できる。また、弾性部材３３が肛門部の直下に配置されないため、肛門部にシート体２０が密着してなる装着感の悪さを解消することができる。
また、弾性部材３３が２列あるため、排泄を終えた後のシート体２０の復元力も、第１実施形態に比べて強い。
なお、本第２実施形態の吸収性製品３２では、スリット３からなる列は５列Ｇ７〜Ｇ１１と少なくなるが、大量あるいは勢いのよい軟便ＣＡが排泄された場合であっても、図１０（Ｂ）に示すように、左右両側の弾性部材３３，３３がある程度の障壁となって、幅方向（短手方向）Ｘに勢いよく流れることを抑制できる。
【００３８】
〔第３実施形態〕
次に、本発明の第３実施形態について説明する。図１１及び図１２は第３実施形態に係る吸収性製品３７であり、図１１は概略斜視図、図１２は吸収性製品３７を装着して、図１１のＤ−Ｄ位置で切断した場合の概略断面図である。なお、これらの図では図１及び図４で図示したギャザー２９は省略している。
これらの図の吸収性製品３７が図１〜図７の吸収性製品１０と異なるのは、弾性部材４０が追加して配置されている点である。
【００３９】
すなわち、上述した幅方向Ｘの中心部の弾性部材２８は第１の弾性部材２８であり、シート体２０は、複数のスリット３の集合体（中心部の弾性部材２８の周辺に配置され、その弾性力の影響を受ける複数のスリット３）の左右外側に、第２の弾性部材４０，４０を有している。
幅方向Ｘの左側の第２の弾性部材４０と右側の第２の弾性部材４０とは同様の構成であり、長手方向Ｙに沿って配置され、幅方向Ｘの最も外側のスリット３の列Ｇ１，Ｇ６に近接している。
なお、第１の弾性部材２８と第２の弾性部材４０との弾性力は異なっていてもよく、その場合、第２の弾性部材４０を第１の弾性部材２８の弾性力に比べて弱くしてもよい。
本発明の第３実施形態の吸収性製品３７は以上のように構成され、このため、図１２に示すように、シート体２０の肌への密着性を高めることができ、また、大量で勢いのよい軟便であっても、第２の弾性部材４０，４０が配置されたシート体の部分２０ｂ，２０ｂが肌に密着してより所謂横漏れを防止することができ、さらに、排泄を終えた後のシート体２０の復元力も、第１実施形態に比べて向上できる。
【００４０】
〔第３実施形態の変形例〕
次に、本発明の第３実施形態の変形例について説明する。図１３はその変形例に係る吸収性製品３９を伸ばし広げて、シート体２０の通過手段２５周辺を平面から視認した部分平面図である。なお、図１３の右側が臀部側の端部１０ｂ、左側が下腹部側の端部１０ａである。また、この図では図１及び図４で図示したギャザー２９は省略している。
図１３の吸収性製品３９が図１１及び図１２の吸収性製品３７と異なるのは、通過手段２５が向きの異なるスリット５を有する点である。
すなわち、シート体２０に形成された通過手段２５は、股間部から肛門部にかけての領域ＡＲ１では図１１と同様に長手方向（着用者の前後方向）Ｙに沿ったスリット３であり、この領域ＡＲ１よりも胴回り側の領域ＡＲ２では、胴回り方向に略沿って形成されたスリット５となっている。本変形例の吸収性製品３９は尿取りパッドであり、胴回り一周には装着されず、腹部から股間部及び肛門部を通って腰部辺りにかけてのみ装着されるため、スリット５は着用者の左右方向（幅方向Ｘ）に沿って形成されている。
この幅方向Ｘのスリット５は、弾性部材２８，４０よりも胴回り側に配置され、そして、スリット３の各列Ｇ１〜Ｇ６の間を流れてきた排泄物が当たるように配置されている。
【００４１】
本変形例は以上のように構成されており、従って、軟便が胴回り側の領域ＡＲ２に流れてきた場合（例えば、床ずれ防止のために臀部を浮かせて寝た状態で腰側に軟便が流れてきた場合）であっても、スリット５がその軟便を捉えて吸収体側に移動させ、軟便が漏れる事態を防止できる。
【００４２】
〔第４実施形態〕
次に、本発明の第４実施形態について説明する。図１４は第４実施形態に係る吸収性製品４２を装着して、着用者の外尿道口付近で左右方向に切断した場合の概略縦断面図である。なお、この図では図１及び図４で図示したギャザー２９は省略している。
この図の吸収性製品４２が図１１及び図１２の吸収性製品３７と異なるのは、シート体２０と吸収体１９とを部分的に繋いだ点である。
すなわち、吸収性製品４２のシート体２０と吸収体１９との間には、尿が浸透可能な部材であって、部分的にシート体２０と吸収体１９とを繋ぐようにした連結部４３が設けられている。従って、空間Ｓが形成されていても、排泄後にシート体２０に付着した尿を、連結部４３を介して吸収体１９側に導くことができる。なお、この連結部４３はシート体２０と吸収体１９とを部分的に繋ぐため、空間Ｓの軟便に対する収容量を著しく阻害することもない。
【００４３】
本実施形態の連結部４３は、複数層のシート体２０の吸収体１９側の層である不織布製の外側シート体２７が部分的に延伸して、吸収体１９（具体的にはティッシュ１７）に接続することで形成されおり、外側シート体２７の延伸した部分が連結部４３となる。連結部４３と吸収体１９とは、尿の浸透を阻害しないように、熱圧着で接続するのが好ましい。
また、外側シート体２７は肌側シート体２６に比べて繊維密度が高くなっており、その結果、連結部４３の繊維密度も肌側シート体２６の繊維密度に比べて高く形成されている。これにより、シート体２０に付着した尿を、相対的に繊維密度の高い連結部４３により、毛細管現象で吸収体１９側に積極的に導くことができる。
【００４４】
このような連結部４３のシート体２０側については、弾性部材２８，４０に近接した部分にのみ繋がっている。本実施形態の場合、肌側シート体２６と共に弾性部材２８，４０を挟んでいる外側シート体２７の部分２７ａのみを吸収体１９側に延伸している。従って、連結部４３により、弾性部材２８，４０の周辺に付着した尿をより積極的に吸収体１９側に導くことができるため、排泄後に弾性部材２８，４０の領域が最も肌に密着し易くても、装着感を向上できる。具体的には、外側シート体２７の部分２７ａについては、弾性部材２８，４０をシート体２０に確実に貼着できるように、肌側シート体２６と協働して弾性部材２８，４０を挟持しつつ、襞状ないしプリーツ状に延伸して吸収体１９に接続されており、この延伸した襞状ないしプリーツ状の部分が連結部４３となっている。
【００４５】
このような襞状ないしプリーツ状の連結部４３は、本第４実施形態の場合、着用者の前後方向（図１１の長手方向）Ｙに沿って連続して形成され、着用者の左右方向Ｘについて空間Ｓを仕切るようにしている。これにより、図１４の場合では、空間Ｓは空間Ｓ１，Ｓ２，Ｓ３，Ｓ４に仕切られて、排泄物が短い左右方向Ｘに流れて、横からの漏れる事態を防止できる。なお、連結部４３の襞状・プリーツ状は、図の左右方向Ｘの中央部の連結部４３Ａに示すように細長く、線状に吸収体１９と接触してもよく、或いは、左右方向Ｘの外側の連結部４３Ｂに示すように、吸収体１９側に向かうに従って大きくなって、面状に吸収体１９と接触してもよい。
【００４６】
本第４実施形態の吸収性製品４２は以上のように構成され、軟便や多量の尿については通過手段２５で吸収体１９側に移動させ、少量の尿や排泄後にシート体２０に残った尿については、連結部４３を介して、吸収体１９側に移動させることができる。かくして、尿、軟便を問わず、身体に触れることを可及的に回避して、排泄後の気持ち悪さやスキントラブルを回避できる。
なお、本発明は図１４に示す態様に限られるものではない。
例えば、連結部４３は、シート体２０と吸収体（ティッシュ１７を含む）１９とを直接的に繋ぐものに限られるものではなく、例えば、吸収体１９の肌側の表面を覆うトップシートと呼ばれる表面材とシート体２０とを連結部４３を介して繋いでも構わない。
また、シート体２０の内、弾性部材２８，４０に近接した部分以外の領域では、尿が付着すると相対的に垂れ下がる傾向にあって肌に密着し難いため、連結部４３と接続される必要性は相対的に低いが、本発明は、弾性部材２８，４０に近接した部分以外の領域に連結部４３を接続することを排除するものではない。
また、本実施形態では、シート体２０の外側シート体２７を吸収体１９側に延伸することで連結部４３を形成しているが、シート体２０と連結部４３とを全く別の部材から形成してもよい。この際、連結部４３の繊維密度を外側シート体２７の繊維密度よりも高くするのが好ましく、これにより、積極的に吸収体２０側に尿を導くと共に、連結部４３に付着した尿がシート体２０側に伝わる事態を防止できる。
また、本第４実施形態の変形例である図１５に示すように、シート体２０と吸収体１９とを繋ぐ襞状ないしプリーツ状の連結部９９を、前後方向Ｙに沿って断続的に形成してもよい。この場合、図１５に示すように、肛門部ＡＮの周辺には配置されず、主に女性の外尿道口ＨＲの周辺に断続的に配置するとよく、これにより、肛門部ＡＮ周辺の領域では、空間Ｓに多くの軟便が収容されるようにすると共に、外尿道口ＨＲから排泄された尿を吸収体１９側に積極的に導くことができる。また、図１５では、連結部９９を、着用者の左右方向に沿うようにして、弾性部材２８に近接した部分以外の領域に形成してもよく、これにより、腹部側への軟便の移動を抑えることもできる。
【００４７】
〔第５実施形態〕
次に、本発明の第５実施形態について説明する。図１６〜図１８は第５実施形態に係る吸収性製品５０であり、図１６は概略斜視図、図１７は吸収性製品５０を装着して、図１６のＥ−Ｅ位置で切断した場合の概略断面図、図１８は吸収性製品５０を装着して、横向きに寝た状態で軟便を排泄した場合の図１７に対応した概略断面図である。なお、これらの図では図１及び図４で図示したギャザー２９は省略している。
これらの図の吸収性製品５０が図１〜図７の吸収性製品１０と異なるのは、シート体２０に蛇腹状部を設けた点、等である。
【００４８】
すなわち、シート体２０は、図１７に示すように、着用者の左右方向（幅方向Ｘ）に、山折りと谷折りを交互に繰り返して折り曲げられた複数の折り曲げ部４９を有し、蛇腹状になった領域ＡＲ３を有している。従って、平坦なシート体２０に比べて着用者の左右方向の寸法を大きくすることができ、股間部の狭い左右方向であっても、排泄物が直ぐに幅方向の両端に届いてしまう事態を抑制できる。特に、着用者の左右方向に対して角度θ１が付いているため、図１８に示すように着用者が横向きに寝た場合であっても、排泄物が着用者の左右方向（横向きに寝た状態の上下方向）に伝わる速度を落して、通過手段２５から排泄物を空間Ｓに容易に移動させることができる。
なお、本実施形態の蛇腹状は、図１６に示すように、長手方向Ｙの両端部に、幅方向Ｘに沿って設けられた合成ゴム等の弾性部材５５で、その形状が概ね保持されている。
また、蛇腹状になった領域ＡＲ３は、幅方向Ｘの中心部（装着した際に肛門部に対応した部分）にある谷折りの折り曲げ部４９ａ（図１７も参照）を中心に左右対称であり、左右それぞれに同数（図の場合３つ）の折り曲げ部４９を有している。
【００４９】
図の場合、シート体２０の蛇腹状になった領域ＡＲ３の左右方向の外側には、図１１と同様、厚みの小さい帯状の弾性部材４０，４０が長手方向Ｙに沿って配設されている。
これに対して、図１７に示すように、左右方向の中央部には、断面円形状の弾性部材５２が肛門部に近接するようにして肛門部の左右に、長手方向Ｙに沿って配設されている。具体的には、弾性部材５２は、肌側シート体２６と外側シート体２７とで挟まれて接続されているが、山折りの方（肌側）に配置されている。なお、本実施形態の弾性部材５２は幅方向Ｘの中央部に配置されているが、本発明はこのような態様に限られるものではなく、幅方向Ｘの中央部と弾性部材４０との間に配置されてもよく、或いは、弾性部材５２を設けずに、左右の弾性部材４０，４０のみでも構わない。
【００５０】
そして、本実施形態の通過手段２５は、それ自体の形態は図１と同様のスリット３ではあるが、図１６及び図１７に示すように、長手方向Ｙに沿った折り曲げ部４９に、長手方向Ｙに沿って断続的に形成されている。これにより、図１８に示すように軟便等が排泄されると、軟便等の重みや排泄される圧力により、蛇腹状の折り曲げ角度が変わり、幅方向Ｘに対する角度θ２が図１６の角度θ１より大きくなる。従って、スリット３の幅がより広がり易くなって、排泄物を空間Ｓにより容易に移動させることができる。そして、排泄を終えた後は、弾性部材４０，５２，５５の弾性力で、スリット３の幅は排泄前に戻ろうとして、空間Ｓに収容された排泄物の肌への接触をより有効に防止できる。なお、本実施形態の通過手段２５はスリット３であるが、本発明はこれに限られず、長孔であってもよい。
【００５１】
〔第６実施形態〕
次に、本発明の第６実施形態について説明する。図１９〜図２１は第６実施形態に係る吸収性製品６０であり、図１９は概略斜視図、図２０は図１９のミシン目部分の拡大図、図２１は吸収性製品６０を装着して、図１９のＦ−Ｆ位置で切断した場合の概略断面図である。
これらの図の吸収性製品６０が図１〜図７の吸収性製品１０と異なるのは、陰茎を挿入可能にして男性用と女性用を兼ねた点である。
即ち、図１９に示すように、シート体２０は、縮幅部１２を股間部にあてがって男性が吸収性製品６０を装着した場合における陰茎の根元に対応した位置に、略左右方向（略幅方向）Ｘに沿って複数の切込み６１を断続的に配列してなるミシン目６４が形成されている。なお、その他の構成は図１と同様である。従って、男性が着用する場合は、シート体２０のミシン目６４の部分を断裂させて、図２１に示すように、陰茎ＭＳをシート体２０と吸収体１９との間に挿入して、陰茎ＭＳからの尿を吸収体１９に吸収させることができる。また、女性が使用する場合は、ミシン目６４を断裂させなければ、孔が開くこともなく、従って、通過手段２５から入った軟便等がこのミシン目６４から肌側に漏れ出てしまうことを可及的に防止できる。
【００５２】
具体的には、シート体２０は前後方向（長手方向）Ｙに繊維配向性を有し、繊維に沿って着用者の下腹部と臀部とを結ぶ方向に尿を導き、左右方向（短手方向）Ｘの端部から尿が漏れることを有効に防止している。このように前後方向Ｙに繊維配向性があると、前後方向Ｙに伸縮性が殆どない一方で、左右方向Ｘに所定の伸縮性を有する。そうすると、略左右方向Ｘに沿って形成されたミシン目６４の列は、左右方向Ｘの伸縮性により断裂し難くなっており、もし、これを無理矢理切ろうとすると、前後方向Ｙに不用意に断裂してしまう恐れがある。
そこで、本実施形態のミシン目６４は、前後方向Ｙに互いに隣接した第１及び第２のミシン目の列６２，６３を有し、第１のミシン目の列６２と第２のミシン目の列６３とは、左右方向Ｘについて切込み６１の位置が互い違いに形成されている。なお、本実施形態の第１のミシン目の列６２と第２のミシン目の列６３とは平行である。従って、図２０に示すように、ミシン目６４の領域を前後方向Ｙに引っ張ると、第１のミシン目６２の端部６２ａとこれに隣接した第２のミシン目６３の端部６３ａとの間ＮＦは、前後方向Ｙで伸縮性が殆どないので、比較的に断裂し易く、第１のミシン目６２と第２のミシン目６３との間ＮＦで断裂しながら、全体的に左右方向Ｘに沿って切り開いて、図２１に示すように、陰茎ＭＳを挿入するための挿入孔６６を形成することができる。
【００５３】
なお、本実施形態のように、男性用と女性用を兼ねた吸収性製品６０の場合、シート体２０に形成される通過手段２５は長孔よりもスリット３であることがより好ましく、これにより、スリット３の幅は狭いため、男性が排尿をした際に尿が跳ねる等しても、尿が肌に触れる機会を可及的に回避できる。
また、本実施形態では、左右方向の中央部にある前後方向Ｙに沿った弾性部材２８により、シート体２０と吸収体１９との間に、陰茎を挿入し易い空間Ｓが形成されているが、さらに、図２１に示すように、ティッシュ１７に比べて表面が滑らかな不織布シート６７を配置するようにしてもよい。
また、図２０に示すように、本変形例では好ましい実施形態として、第１のミシン目６２の端部６２ａとこれに隣接した第２のミシン目６３の端部６３ａとは左右方向Ｘの位置を略同じにしているが、本発明はこれに限られず、図の第１のミシン目６２と第２のミシン目６３の互いの切込み６１が、左右方向Ｘについてオーバーラップする領域を有しても構わない（例えば、第２のミシン目６３の端部６３ａから図２０のＹ方向に仮想線を引き出した場合、その仮想線が第１のミシン目６２の切込み６１のいずれの位置に当たっても構わない）。
【００５４】
ところで本発明は上記実施の形態に限定されるものではなく、上述の実施形態の個別の構成は、必要により省略したり、説明しない他の構成と組み合わせたりしてもよい。
例えば、上述した実施形態では尿取りパッドを例示したが、パンツ式のおむつ等であってもよい。
また、本発明の通過手段２５の数・種類・寸法も上述した実施形態に限れるものではない。
また、上記実施形態では、通過手段２５の例としてスリットをあげたが、幅の狭い長孔であってもよく、或いは、スリットと長孔を組み合せて用いてもよい。
また、図８〜図１８の実施形態の吸収体１９の空間Ｓ側に公知なトップシートと呼ばれる表面材を配設してもよい。
また、上記第６実施形態は、男性も容易に使用できるものとして、男性用と女性用を兼ねた吸収性製品を説明したが、第１実施形態〜第５実施形態についても、陰茎を別売りのパッドで包んで、女性用としてだけではなく、男性用としても使用できる。
また、第６実施形態の第１及び第２のミシン目の列６２，６３は、図では夫々１列であるが、本発明はこれに限られず、夫々２列以上であってもよい。
【符号の説明】
【００５５】
３・・・スリット、１０，３２，３７，３９，４２，５０，６０・・・吸収性製品（尿取りパッド）、１８・・・防水シート、１９・・・吸収体、２０・・・シート体、２５，３５・・・通過手段、２８，３３，４０・・・弾性部材、４９・・・折り曲げ部
【図１】
0006430743.tif 000002
【図２】
0006430743.tif 000003
【図３】
0006430743.tif 000004
【図４】
0006430743.tif 000005
【図５】
0006430743.tif 000006
【図６】
0006430743.tif 000007
【図７】
0006430743.tif 000008
【図８】
0006430743.tif 000009
【図９】
0006430743.tif 000010
【図１０】
0006430743.tif 000011
【図１１】
0006430743.tif 000012
【図１２】
0006430743.tif 000013
【図１３】
0006430743.tif 000014
【図１４】
0006430743.tif 000015
【図１５】
0006430743.tif 000016
【図１６】
0006430743.tif 000017
【図１７】
0006430743.tif 000018
【図１８】
0006430743.tif 000019
【図１９】
0006430743.tif 000020
【図２０】
0006430743.tif 000021
【図２１】
0006430743.tif 000022